(57)【特許請求の範囲】
【請求項１】
サーマルプリンタの印字ヘッドを、サーマルプリンタの基体に立設された支持壁にブラケットを介して装着するようにしたサーマルプリンタの印字ヘッド支持構造であって、
前記支持壁に形成した貫通孔と、
前記基体の前記支持壁の近傍に、前記支持壁との平行面を有する段部と、
前記段部の両側部の前記平行面から突出する方向に形成した一対のリブと、
前記平行面に、前記基体を貫通するように形成した装着孔と、を有し、
前記ブラケットに、前記支持壁に形成した前記貫通孔に嵌合させられるガイドロッドを設けるとともに、前記装着孔内に挿入される係合片を一体に設け、
前記係合片の、前記装着孔へ挿入される側の端部に、この装着孔の内方縁部に係合させられる係合爪と、
前記一対のリブによって両端側を支持しながら前記基体にスライドするプレートと、を備え、
前記プレートを前記一対のリブの両端側に沿ってスライドさせ、
前記ガイドロッドを支持壁に嵌合させた状態で、前記係合片を前記装着孔内に挿入するとともに、前記係合爪を前記装着孔の内方縁部に係合させることにより、
前記ブラケットを前記支持壁に固定するようにしたことを特徴とするサーマルプリンタの印字ヘッド支持構造。
【請求項２】
前記支持壁と前記ブラケットとの間には、これらを離間させる方向に付勢する付勢部材が設けられていることを特徴とする請求項１に記載のサーマルプリンタの印字ヘッド支持構造。
【請求項３】
前記段部の前記平行面には、前記ブラケットが装着された状態において、このブラケットに設けられた位置決め突起が係合させられる位置決め用の凹部が形成されていることを特徴とする請求項１または請求項２に記載のサーマルプリンタの印字ヘッド支持構造。
【発明の詳細な説明】
【０００１】
【発明の属する技術分野】
本発明は、サーマルプリンタの印字ヘッド支持構造に関するものである。
【０００２】
【従来の技術】
従来、サーマルプリンタにあっては、印字ヘッドをブラケットにねじ止めし、さらに、この印字ヘッドをサーマルプリンタの基体にねじ止めすることにより、前記印字ヘッドを基体に支持させるようにしている。
【０００３】
【発明が解決しようとする課題】
ところで、このような従来の技術にあっては、つぎのような改善すべき問題点が残されている。
【０００４】
すなわち、印字ヘッドを交換する際には、前記ブラケットをサーマルプリンタの基体に固定しているねじの着脱操作、あるいは、印字ヘッドをブラケットに固定しているねじの着脱操作を必要とすることから、その作業が繁雑であるといった問題点である。
また、このようなねじの着脱を行うドライバを挿入するためのスペースを設けなければならず、製造工程が複雑になるといった問題点もある。
【０００５】
本発明は、このような従来の問題点に鑑みてなされたもので、簡素な構成を確保しつつ、容易な着脱操作性を実現することのできるサーマルヘッドの印字ヘッド支持構造を提供することを目的とする。
【０００６】
【課題を解決するための手段】
本発明の請求項１に記載のサーマルプリンタの印字ヘッド支持構造は、サーマルプリンタの印字ヘッドを、サーマルプリンタの基体に立設された支持壁にブラケットを介して装着するようにしたサーマルプリンタの印字ヘッド支持構造であって、前記支持壁に形成した貫通孔と、
前記基体の前記支持壁の近傍に、前記支持壁との平行面を有する段部と、前記段部の両側部の前記平行面から突出する方向に形成した一対のリブと、前記平行面に、前記基体を貫通するように形成した装着孔と、を有し、前記ブラケットに、前記支持壁に形成した前記貫通孔に嵌合させられるガイドロッドを設けるとともに、前記装着孔内に挿入される係合片を一体に設け、
前記係合片の、前記装着孔へ挿入される側の端部に、この装着孔の内方縁部に係合させられる係合爪と、前記一対のリブによって両端側を支持しながら前記基体にスライドするプレートと、を備え、前記プレートを前記一対のリブの両端側に沿ってスライドさせ、前記ガイドロッドを支持壁に嵌合させた状態で、前記係合片を前記装着孔内に挿入するとともに、前記係合爪を前記装着孔の内方縁部に係合させることにより、前記ブラケットを前記支持壁に固定するようにしたことを特徴とする。
本発明の請求項２に記載のサーマルプリンタの印字ヘッド支持構造は、請求項１に記載の前記支持壁と前記ブラケットとの間には、これらを離間させる方向に付勢する付勢部材が設けられていることを特徴とする。
本発明の請求項３に記載のサーマルプリンタの印字ヘッド支持構造は、請求項１または請求項２に記載の前記段部の前記平行面には、前記ブラケットが装着された状態において、このブラケットに設けられた位置決め突起が係合させられる位置決め用の凹部が形成されていることを特徴とする。
【０００７】
【発明の実施の形態】
以下、本発明の一実施形態について、図面を参照して説明する。
図１において符号１は、本実施形態が適用されたサーマルプリンタを示し、このサーマルプリンタ１は、ロール状の記録紙Ｒが収納される基体２と、この基体２に回動可能に装着されて、この基体２に設けられた前記記録紙Ｒの挿入部２ａを開閉する蓋体３とを備えている。
【０００８】
前記基体２の、前記挿入部２ａには、前記記録紙Ｒに印字を行う印字ヘッド４と、この印字ヘッド４の駆動を制御する制御ユニット（図示略）が設けられている。
【０００９】
また、前記蓋体３には、前記記録紙Ｒを前記印字ヘッド４との間で挟み込むとともに、この記録紙Ｒの移動をなすプラテンローラ５と、このプラテンローラ５を回転駆動するモータ６と、このモータ６と前記プラテンローラ５との間に介装されて、前記モータ６の回転をプラテンローラ５に伝達する歯車群７とが設けられている。
【００１０】
一方、前記印字ヘッド４は、前記基体２に装着されるブラケット８を介して前記基体２に支持されるようになっている。
さらに詳述すれば、前記基体２の挿入部２ａが形成された部分には、図２および図３に示すように、前記ブラケット８が装着される支持壁９が一体に突設されている。
【００１１】
前記支持壁９の近傍には、この支持壁９との平行面１０ａを有する段部１０が形成され、この段部１０の平行面１０ａに、前記基体２を貫通する装着孔１１が形成され、また、前記ブラケット８の、前記印字ヘッド４が装着される部位と反対側には、前記支持壁９に形成されている貫通孔９ａに、前記支持壁９と直交する方向から嵌合させられる一対のガイドロッド１２が一体に突設され、さらに、前記ブラケット８の下部、すなわち、図３に示すように、前記ガイドロッド１２の下方には、前記装着孔１１内に挿入される係合片１３が一体に設けられている。
そして、この係合片１３の、前記装着孔１１へ挿入される側の端部下面には、前記装着孔１１の下部内方縁部１１ａに係合させられる係合爪１４が形成されている。
この係合爪１４の先端面は、前記係合片１３の挿入方向前方に行くにしたがい、前記ガイドロッド１２へ近づくように傾斜面１４ａとなされている。
【００１２】
また、本実施形態においては、前記各ガイドロッド１２に圧縮スプリング等の付勢部材１５が装着されて、前記ブラケット８を前記支持壁９に装着した状態において、前記ブラケット８が前記支持壁９から離間する方向に付勢するようになっている。
【００１３】
さらに、前記基体２には、図２に詳述するように、前記段部１０の両側部から、その平行面１０ａから突出する方向に、一対のリブ１６が形成され、また、前記ブラケット８の下部には、同図に示すように、前記係合片１３と同一幅を有し、この係合片１３とは逆方向に延設されたプレート１７が設けられており、前記係合片１３を前記装着孔１１内に挿入した状態において、前記プレート１７が前記基体２に面接触させられるとともに、その両側部が、前記各リブ１６によって支持されるようになっている。
また、前記ブラケット８を装着する際に、前記プレート１７が前記両リブ１６によって案内されることにより、前記係合片１３が装着孔１１に対して位置決めされるとともに、この装着孔１１へ案内されるようになっている。
【００１４】
このようにして構成された本実施形態に係わる、サーマルプリンタの印字ヘッド支持構造において印字ヘッド４を基体２に装着するには、つぎのような手順が採られる。
【００１５】
まず、ブラケット８に印字ヘッド４を取り付けた状態とするとともに、各ガイドロッド１２に付勢部材１５を装着し、ついで、前記各ガイドロッド１２の先端部を前記支持壁９の貫通孔９ａに嵌合させ、かつ、前記係合片１３およびプレート１７を両リブ１６間に位置させる。
これより、前記各付勢部材１５を圧縮しつつ、図４および図５に示すように、前記ブラケット８を支持壁９へ近づけるように移動させて、前記係合片１３を段部１０に形成されている装着孔１１内へ挿入し、この係合片１３に設けられている係合爪１４を、図５に示すように、前記装着孔１１の下部内方縁部１１ａに係合させる。
【００１６】
このような操作により、前記ブラケット８は、支持壁９とガイドロッド１２との嵌合および係合片１３と基体２との係合により、基体２に確実に装着される。
【００１７】
そして、このような装着操作に際して、ブラケット８を単に、基体２の面方向に沿って移動させるといった簡便な操作によって装着することができる。
また、この装着に、ねじ等の固定部品を必要としないことから、固定部品を取り扱う治具等との干渉を考慮する必要がなく、したがって、形状設定の自由度が高い。
【００１８】
一方、印字ヘッド４の交換等を行う場合にあっては、前記係合爪１４を、基体２の内側から押圧して前記下部内方縁部１１ａとの係合を解除することにより、前記ブラケット８を容易に取り外すことができる。
このように前記係合爪１４による係合状態を解除すると、前記付勢部材１５に対する拘束力が開放されることから、この付勢部材１５の付勢力によって、前記ブラケット８が取り外し方向へ移動させられ、この点からも、前述した取り外し作業が簡便なものとなる。
【００１９】
なお、前記実施形態において示した各構成部材の諸形状や寸法等は一例であって、設計要求等に基づき種々変更可能である。
たとえば、図２あるいは図４に示すように、前記段部１０の平行面１０ａに、前記ブラケット８が装着された状態において、このブラケット８に設けられた位置決め突起１８が係合させられる位置決め用の凹部１９を形成しておくことにより、これらの係合によって、前記ブラケット８の、前記印字ヘッド４の長さ方向における位置ずれをさらに高精度に規制することが可能となる。。
【００２０】
【発明の効果】
以上説明したように、本発明に係わるサーマルヘッドの印字ヘッド支持構造によれば、印字ヘッドが取り付けられたブラケットを、これらに設けられているガイドロッドや係合爪を基体に係合させることで、前記ブラケットを基体に装着し、また、これらの係合を解除することによって取り外しを可能にする。
したがって、ブラケットの移動といった簡便な操作によって印字ヘッドの着脱を行うことができる。
また、ねじ等の固定部品を不要にして、この点からも着脱操作を簡便なものとすることができるとともに、固定部品用の取り扱い治具との干渉を避けるための形状設定を不要にして簡素な構成とすることができる。
【図面の簡単な説明】
【図１】本発明の一実施形態が適用されたサーマルプリンタの概略構成を示す側面図である。
【図２】本発明の一実施形態の要部を分解した状態を示す平面図である。
【図３】本発明の一実施形態の要部を分解した状態を示す縦断面図である。
【図４】本発明の一実施形態を示す要部の平面図である。
【図５】本発明の一実施形態を示す要部の縦断面図である。
【符号の説明】
１  サーマルプリンタ
２  基体
２ａ  挿入部
３  蓋体
４  印字ヘッド
５  プラテンローラ
６  モータ
７  歯車群
８  ブラケット
９  支持壁
９ａ  貫通孔
１０  段部
１０ａ  平行面
１１  装着孔
１１ａ  下部内方縁部
１２  ガイドロッド
１３  係合片
１４  係合爪
１４ａ  傾斜面
１５  付勢部材
１６  リブ
１７  プレート
１８  位置決め突起
１９  （位置決め用の）凹部
Ｒ  記録紙
【図１】
0004473418.tif 000002
【図２】
0004473418.tif 000003
【図３】
0004473418.tif 000004
【図４】
0004473418.tif 000005
【図５】
0004473418.tif 000006